(57)【要約】【課題】本発明は、簡易な回路構成で光源が発光する光の光束や色温度を調整できる光源制御回路及び照明装置を提供することを目的とする。【解決手段】光源制御回路３は、ＬＥＤ２１及びＬＥＤ２１とは色温度が異なる光を発生するＬＥＤ２２に供給する直流電力を商用交流電源から生成する電力生成部５と、ＬＥＤ２１及びＬＥＤ２２を含む光源２が発生する光を調色するために電力生成部５で生成された電力をＬＥＤ２１とＬＥＤ２２とに振り分けるための可変抵抗器７１１を備え、調色された光の色温度が変化しても、少なくともある色温度の範囲ではＬＥＤ２１に供給する第１供給電流Ｉ１の電流値とＬＥＤ２２に供給する第２供給電流Ｉ２の電流値との和が一定である調色設定回路７１とを有している。【選択図】図１
2016219147.tif 000002
【特許請求の範囲】
【請求項１】
第１発光素子及び前記第１発光素子とは色温度が異なる光を発生する第２発光素子に供給する直流電力を商用交流電源から生成する電力生成部と、
前記第１及び第２発光素子を含む光源が発生する光を調色するために前記電力生成部で生成された電力を前記第１発光素子と前記第２発光素子とに振り分けるための第１可変抵抗器を備え、調色された光の色温度が変化しても、少なくともある色温度の範囲では前記第１発光素子に供給する第１供給電流の電流値と前記第２発光素子に供給する第２供給電流の電流値との和が一定である調色設定回路と
を有する光源制御回路。
【請求項２】
前記調色設定回路の前段に設けられ、前記調色設定回路で調色された光の光束を増減するための第２可変抵抗器を備える調光設定回路を有する
請求項１に記載の光源制御回路。
【請求項３】
前記調色設定回路は、
基準電位が印加される基準電位印加端子と、
前記電力生成部から供給される第３供給電流が入力される第３供給電流入力端子と、
前記第３供給電流入力端子と前記第１可変抵抗器の一の端子との間に接続された第１抵抗器と、
前記第３供給電流入力端子と前記第１可変抵抗器の他の端子との間に接続された第２抵抗器と
を有する請求項２に記載の光源制御回路。
【請求項４】
前記調光設定回路は、
前記第３供給電流入力端子側に設けられた一方の端子と、前記基準電位印加端子側に設けられた他方の端子とを備えた第２可変抵抗器を有する
請求項３に記載の光源制御回路。
【請求項５】
前記一の端子に印加される電圧を増幅する第１増幅器と、前記第１増幅器が増幅した増幅電圧に基づいて前記第１供給電流の電流値を調整する第１トランジスタとを有する第１電流調整回路と、
前記他の端子に印加される電圧を増幅する第２増幅器と、前記第２増幅器が増幅した増幅電圧に基づいて前記第２供給電流の電流値を調整する第２トランジスタとを有する第２電流調整回路と
を有する請求項３又は４に記載の光源制御回路。
【請求項６】
並列接続された前記第１及び第２発光素子を含む前記光源と、
請求項１から５までのいずれか一項に記載の光源制御回路と
を有する照明装置。
【発明の詳細な説明】
【技術分野】
【０００１】
本発明は、光源の発光する光の光束を調光したり色を調色したりする光源制御回路及び照明装置に関する。
【背景技術】
【０００２】
光源から放出される光の色温度が光の強度の変化に応じて変化する発光ダイオード（ＬＥＤ：Ｌｉｇｈｔ  Ｅｍｉｔｔｉｎｇ  Ｄｉｏｄｅ）照明システムが知られている（例えば、特許文献１）。
【先行技術文献】
【特許文献】
【０００３】
【特許文献１】特開２０１４−２１６１２４号公報
【発明の概要】
【発明が解決しようとする課題】
【０００４】
従来、光源の発光する光の調色を行うための回路は、異なる発光色の発光素子をそれぞれ駆動する回路が必要であった。そのため、従来の回路は、回路構成が複雑になったり、製造コストが増すという問題がある。
本発明の目的は、簡易な回路構成で光源が発光する光の光束や色温度を調整できる光源制御回路及び照明装置を提供することにある。
【課題を解決するための手段】
【０００５】
本発明の一態様による光源制御回路は、第１発光素子及び前記第１発光素子とは色温度が異なる光を発生する第２発光素子に供給する直流電力を商用交流電源から生成する電力生成部と、前記第１及び第２発光素子を含む光源が発生する光を調色するために前記電力生成部で生成された電力を前記第１発光素子と前記第２発光素子とに振り分けるための第１可変抵抗器を備え、調色された光の色温度が変化しても、少なくともある色温度の範囲では前記第１発光素子に供給する第１供給電流の電流値と前記第２発光素子に供給する第２供給電流の電流値との和が一定である調色設定回路とを有することを特徴とする。
本発明の一態様による照明装置は、並列接続された前記第１及び第２発光素子を含む前記光源と、上記一態様による光源制御回路とを有することを特徴とする。
【発明の効果】
【０００６】
本発明の一態様によれば、コストを抑制して簡易な回路構成で光源が発光する光の光束や色温度を調整できる。
【図面の簡単な説明】
【０００７】
【図１】本発明の一実施形態による光源制御回路及び照明装置の概略構成の一例を示す回路ブロック図である。
【図２】本発明の一実施形態による光源制御回路を説明する図であって、調色設定比と電流比との関係の一例を示すグラフである。
【図３】本発明の一実施形態による光源制御回路を説明する図であって、調光設定回路の合成抵抗の抵抗値と光源の光束との関係の一例を示すグラフである。
【発明を実施するための形態】
【０００８】
本発明の一実施形態による光源制御回路及び照明装置について図１から図３を用いて説明する。図１は、本実施形態による光源制御回路３及び照明装置１の概略構成の一例を示す回路ブロック図である。
図１に示すように、本実施形態による照明装置１は、光源２と、光源２を制御する光源制御回路３とを有している。光源２は、ＬＥＤ（第１発光素子の一例）２１と、ＬＥＤ２１に並列に接続されたＬＥＤ（第２発光素子の一例）２２とを含んでいる。本実施形態では、光源２が備える発光素子としてＬＥＤ２１，２２が用いられているが、ＬＥＤの他に、有機エレクトロルミネセンス素子やレーザ・ダイオード（半導体レーザ）であってもよい。ＬＥＤ２１及びＬＥＤ２２は、互いに異なる色温度の光を発光するようになっている。ＬＥＤ２１は、例えば色温度が２７００Ｋであって電球色の光を発光するように構成されている。ＬＥＤ２２は、例えば色温度が５７００Ｋであって白色の光を発光するように構成されている。このため、照明装置１は、電球色、白色及び両色を混ぜ合わせた中間色の光を発光できる。
【０００９】
本実施形態による光源制御回路３は、ＬＥＤ２１及びＬＥＤ２２に供給する直流電力を交流１００Ｖ（商用交流電源）から生成する電力生成部５と、調色設定回路７１及び調色設定回路７１の前段に設けられた調光設定回路７７を備えて光源２の発光する光の光束や色温度を調整する調光・調色回路７とを有している。
電力生成部５は、１００Ｖの交流電圧を所定電位の直流電圧に変換する交流／直流（ＡＣ／ＤＣ）変換回路５１と、光源２を駆動するＬＥＤドライバ回路５５と、ＬＥＤドライバ回路５５を制御するＬＥＤドライバ制御回路５３と、ＬＥＤドライバ回路５５が出力する電圧をフィードバック制御するためのフィードバック回路５７とを有している。
交流／直流変換回路５１は、交流電圧信号を整流するブリッジ整流回路（不図示）と、ブリッジ整流回路で整流された電圧信号を平滑化する平滑回路（不図示）と、その他種々の回路（不図示）とを有している。交流／直流変換回路５１は、平滑化した直流電圧信号及び直流電流信号をＬＥＤドライバ回路５５に出力する。
【００１０】
ＬＥＤドライバ回路５５は、交流／直流変換回路５１から入力される直流電圧信号及び直流電流信号から、光源２に備えられたＬＥＤ２１及びＬＥＤ２２を駆動可能な駆動電圧及び駆動電流を生成するように構成されている。ＬＥＤドライバ回路５５は例えば、交流／直流変換回路５１に接続された降圧コンバータ（不図示）を有している。この降圧コンバータは、交流／直流変換回路５１から入力される直流電圧信号及び直流電流信号によりエネルギーを蓄えるコイル（不図示）と、このコイルと交流／直流交換回路５１とを接続したり切断したりする第１スイッチ回路（不図示）と、第１スイッチ回路とコイルとの接続部とグランドとの間に設けられた第２スイッチ回路（不図示）と、このコイルから出力される直流信号を平滑化する平滑回路（不図示）とを有している。第１スイッチ回路と第２スイッチ回路とは、後述するＬＥＤドライバ制御回路５３によってオンオフ状態が制御される。第１スイッチ回路がオン状態のときには第２スイッチ回路はオフ状態となり、第１スイッチ回路がオフ状態のときには第２スイッチ回路はオン状態となる。なお、ＬＥＤドライバ回路５５は、第２スイッチ回路に代えて、第１スイッチ回路とコイルとの接続部に陰極が接続され、グランドに陽極が接続されたダイオードを有していてもよい。
【００１１】
第１スイッチ回路がオン状態に制御され、第２スイッチ回路がオフ状態に制御されると、ＬＥＤドライバ回路５５は、交流／直流変換回路５１から入力する直流電圧信号を降圧コンバータのコイルに蓄積するとともに、この直流電圧信号から駆動電圧及び駆動電流を生成して光源２に出力する。これにより、ＬＥＤドライバ回路５５は、ＬＥＤ２１，２２に電流を流して光源２を発光させるとともに、降圧コンバータのコイルに所定のエネルギーを蓄積する。
【００１２】
第１スイッチ回路がオフ状態に制御され、第２スイッチ回路がオン状態に制御されると、ＬＥＤドライバ回路５５は交流／直流変換回路５１から切断されるとともに、降圧コンバータにはコイル、平滑回路及び第２スイッチ回路による閉回路が形成される。これにより、ＬＥＤドライバ回路５５は、降圧コンバータのコイルに蓄積したエネルギーを光源２に放出することができる。ＬＥＤドライバ回路５５に設けられた第１スイッチ回路がオフ状態であって第２スイッチ回路がオン状態の場合には、このコイルに印加された直流電圧に基づいて生じた誘導起電力がＬＥＤ２１，２２を駆動する駆動電圧となる。また、この場合、降圧コンバータに入力された直流電流に基づいてコイルに生じた誘導電流がＬＥＤ２１，２２を駆動する駆動電流となる。第１スイッチ回路がオフ状態に切り替わると、交流／直流変換回路５１からＬＥＤドライバ回路５５に入力される電流の電流経路が遮断される。このため、ＬＥＤドライバ回路５５は、第１スイッチ回路がオフ状態に切り替わっている期間には降圧コンバータのコイルにエネルギーを蓄積できないので、コイルのエネルギーは徐々に減少し、コイルから出力される駆動電圧の電圧値や駆動電流の電流値は徐々に低下する。
【００１３】
ＬＥＤドライバ制御回路５３は、所望の駆動電圧及び駆動電流を光源２に出力するようにＬＥＤドライバ回路５５を制御する。ＬＥＤドライバ制御回路５３は、ＬＥＤドライバ回路５５に設けられた第１及び第２スイッチ回路のオンオフ状態を制御する。ＬＥＤドライバ制御回路５３は、ＬＥＤドライバ回路５５から出力される電圧が所定の電圧よりも低くなると、ＬＥＤドライバ回路５５に設けられた第１スイッチ回路を再びオン状態に切り替え、第２スイッチ回路をオフ状態に切り替える。これにより、ＬＥＤドライバ回路５５は、交流／直流変換回路５１から入力される直流電圧信号をＬＥＤ２１，２２に再び出力して光源２を発光させるとともに、この直流電圧信号を用いて降圧コンバータのコイルにエネルギーを蓄積する。このように、ＬＥＤドライバ制御回路５３は、ＬＥＤドライバ回路５５に設けられた第１及び第２スイッチ回路のオン状態及びオフ状態をパルス幅変調（ＰＷＭ：Ｐｕｌｓｅ  Ｗｉｄｔｈ  Ｍｏｄｕｌａｔｉｏｎ）駆動してＬＥＤドライバ回路５５を制御し、ＬＥＤドライバ回路５５により所定の駆動電圧及び駆動電流を生成させるように構成されている。
【００１４】
ＬＥＤドライバ制御回路５３は、フィードバック回路５７から入力するフィードバック信号に基づいてＭＯＳＦＥＴのオン状態の期間をフィードバック制御するように構成されている。詳細は後述するが、フィードバック信号は、ＬＥＤドライバ回路５５が出力する駆動電圧に基づく信号である。ＬＥＤドライバ制御回路５３は、フィードバック信号と所定の基準信号とを比較し、フィードバック信号の電圧値が基準信号の電圧値よりも低いと判定すると、ＭＯＳＦＥＴのオン状態の期間が長くなるように制御する。これにより、ＬＥＤドライバ回路５５の降圧コンバータに蓄積されるエネルギーが増加して降圧コンバータのコイルに生じる誘導起電力が高くなるとともに誘導電流が大きくなる。このため、ＬＥＤ２１，２２の駆動電圧が高くなるとともに駆動電流が大きくなる。
【００１５】
一方、ＬＥＤドライバ制御回路５３は、フィードバック信号の電圧値が基準信号の電圧値よりも高いと判定すると、ＭＯＳＦＥＴのオン状態の期間が短くなるように制御する。これにより、ＬＥＤドライバ回路５５の降圧コンバータに蓄積されるエネルギーが減少して降圧コンバータのコイルに生じる誘導起電力が低くなるとともに誘導電流が小さくなる。このため、ＬＥＤ２１，２２の駆動電圧が低くなるとともに駆動電流が小さくなる。
このように、ＬＥＤドライバ制御回路５３は、ＬＥＤドライバ回路５５が出力する駆動電圧に基づくフィードバック信号を用い、ＬＥＤ２１，２２を駆動する駆動電圧や駆動電流をフィードバック制御するように構成されている。これにより、ＬＥＤドライバ制御回路５３は、ＬＥＤドライバ回路５５が出力する駆動電圧の電圧値や駆動電流の電流値を一定値に維持することができる。
【００１６】
フィードバック回路５７は、ＬＥＤドライバ回路５５が出力する駆動電圧と、ＬＥＤ２１及びＬＥＤ２２のそれぞれの陰極側の電圧の少なくとも一方とに基づいてフィードバック信号を生成するように構成されている。フィードバック回路５７は、ＬＥＤドライバ回路５５が出力する駆動電圧と、ＬＥＤ２１及びＬＥＤ２２のそれぞれの陰極側の電圧の少なくとも一方との差分の電圧信号をフィードバック信号としてＬＥＤドライバ制御回路５３に出力するようになっている。本実施形態では、フィードバック回路５７は、光源２の保護回路としての機能も発揮するようになっている。
【００１７】
光源制御回路３に備えられた調光・調色回路７は、調光・調色回路７の電源電圧となるＬＥＤドライバ回路５５の出力電圧が印加される電源電圧印加端子７７７と、基準電位（例えばグランド電位）が印加される基準電位印加端子７７９とを備えた調光設定回路７７を有している。調光設定回路７７は、電源電圧印加端子７７７と基準電位印加端子７７９との間に直列接続された抵抗７７１、抵抗７７３及び可変抵抗器（第２可変抵抗器の一例）７７５を有している。可変抵抗器７７５は、光源２から発生されて調色設定回路７１（詳細は後述）で調色された光の光束を増減するために備えられている。可変抵抗器７７５は、後述する電流入力端子７１５側に設けられた一方の端子と、基準電位印加端子７７９側に設けられた他方の端子とを有している。可変抵抗器７７５は抵抗７７３、抵抗７７１及び電源電圧印加端子７７７を介してＬＥＤ２１，２２の陽極に接続されている。抵抗７７１の一端子は電源電圧印加端子７７７に接続され、抵抗７７１の他端子は抵抗７７３の一端子に接続されている。可変抵抗器７７５の一方の端子は抵抗７７３の他端子に接続され、可変抵抗器７７５の他方の端子は基準電位印加端子７７９に接続されている。抵抗７７３は、可変抵抗器７７５の抵抗値が０Ωに設定されても、後述する電源電圧印加端子７７７を基準電位印加端子７７９に直結させないために設けられている。抵抗７７１にはＬＥＤドライバ回路５５の出力電圧が印加され、可変抵抗器７７５には基準電位が印加される。ここで、調光とは、発光素子に流れる電流を調整して、光源全体の光束を変更することをいう。本実施形態では、ＬＥＤ２１及びＬＥＤ２２に流れる電流をそれぞれ調整して光源２全体の光束が調光される。すなわち、本実施形態では、ＬＥＤ２１及びＬＥＤ２２に流れる電流をそれぞれ調整して光源２全体の輝度が調光される。調光設定回路７７は、ＬＥＤドライバ回路５５の出力に対してＬＥＤ２１及びＬＥＤ２２に並列に接続されている。
【００１８】
本実施形態による調光・調色回路７は、ＬＥＤ２１に供給する第１供給電流Ｉ１の電流値を調整する第１電流調整回路７３と、ＬＥＤ２１とは色温度の異なる光を発光するＬＥＤ２２に供給する第２供給電流Ｉ２の電流値を調整する第２電流調整回路７５とを有している。また、調光・調色回路７は、可変抵抗器（第１可変抵抗器の一例）７１１を備えた調色設定回路７１を有している。調色設定回路７１は、調色された光の色温度が変化しても、少なくともある色温度の範囲ではＬＥＤ２１に供給する第１供給電流Ｉ１の電流値とＬＥＤ２２に供給する第２供給電流Ｉ２の電流値との和が一定であるように構成されている。可変抵抗器７１１は、ＬＥＤ２１及びＬＥＤ２２を含む光源２が発生する光を調色するために電力生成部５で生成された電力をＬＥＤ２１とＬＥＤ２２とに振り分けるために備えられている。可変抵抗器７１１は例えば、両端子（一端子と他端子）と、抵抗値を設定するタップとの３端子を有している。可変抵抗器７１１の一端子（一の端子の一例）は、第１電流調整回路７３に接続され、可変抵抗器７１１の他端子（他の端子の一例）は、第２電流調整回路７５に接続されている。ここで、調色とは、色温度の異なる２つの発光素子に流れる電流を調整して、光源全体の発光色を変更することをいう。本実施形態では、電球色の光を発光するＬＥＤ２１と、白色の光を発光するＬＥＤ２２とに流れる電流をそれぞれ調整して光源２全体の発光色が調色される。
【００１９】
調色設定回路７１は、基準電位（例えばグランド電位）が印加される基準電位印加端子７１６と、電力生成部５から供給される第３供給電流Ｉ３が入力される電流入力端子（第３供給電流入力端子の一例）７１５とを有している。第３供給電流Ｉ３は、電力生成部５が生成した電流の一部である。電流入力端子７１５には、基準電位よりも電位の高い電圧が印加される。基準電位印加端子７１６は、基準電位印加端子７７９と接続されている。電流入力端子７１５は、調光設定回路７７に接続されている。より具体的に、電流入力端子７１５は、調光設定回路７７に備えられた抵抗７７１と抵抗７７３との接続点に接続されている。電流入力端子７１５には、電源電圧印加端子７７７に印加される電圧、すなわちＬＥＤドライバ回路５５が出力する駆動電圧と基準電位との電位差を抵抗７７１と、抵抗７７３及び可変抵抗器７７５（以下、「調光設定回路７７の合成抵抗」と称する場合がある）とによって抵抗分割した電圧が印加される。
【００２０】
また、調色設定回路７１は、電流入力端子７１５と可変抵抗器７１１の一端子との間に接続された抵抗（第１抵抗器の一例）７１２と、電流入力端子７１５と可変抵抗器７１１の他端子との間に接続された抵抗（第２抵抗器の一例）７１３とを有している。さらに、調色設定回路７１は、可変抵抗器７１１のタップと基準電位印加端子７１６との間に接続された抵抗７１４を有している。抵抗７１４は、可変抵抗器７１１のタップを一端子又は他端子のいずれかに移動させても、タップの移動された側の端子が基準電位印加端子７１６に直結されないために設けられている。電流入力端子７１５に入力される第３供給電流Ｉ３は、並列接続された抵抗７１２，７１３、可変抵抗器７１１及び抵抗７１４を介して基準電位印加端子７１６に流入してグランドに流れる。
【００２１】
第１電流調整回路７３は、可変抵抗器７１１の一端子に印加される電圧を増幅する増幅器（第１増幅器の一例）７３１と、増幅器７３１が増幅した増幅電圧に基づいて第１供給電流Ｉ１の電流値を調整するＮｃｈ（Ｎチャンネル）のＦＥＴ（第１トランジスタの一例）７３３と、ＦＥＴ７３３のソース端子Ｓに接続された抵抗７３５とを有している。より具体的に、増幅器７３１の非反転入力端子（＋）は、可変抵抗器７１１の一端子、すなわち可変抵抗器７１１の一端子と抵抗７１２との接続点に接続され、増幅器７３１の反転入力端子（−）は、ＦＥＴ７３３のソース端子Ｓに接続され、増幅器７３１の出力端子はＦＥＴ７３３のゲート端子Ｇに接続されている。ＦＥＴ７３３のドレイン端子ＤはＬＥＤ２１の陰極に接続されている。抵抗７３５の一端子はＦＥＴ７３３のソース端子Ｓに接続され、抵抗７３５の他端子は基準電位であるグランドに接続されている。
【００２２】
増幅器７３１の非反転入力端子（＋）には、電流入力端子７１５の電位と基準電位印加端子７１６の電位との電位差を、抵抗７１２と、可変抵抗器７１１の一端子とタップとの間の抵抗（以下、「一端子側抵抗」と称する）及び抵抗７１４とによって抵抗分割した電圧が印加される。このため、増幅器７３１の非反転入力端子（＋）に入力される電圧は、設定された可変抵抗器７１１の一端子側抵抗の抵抗値に応じて変更される。増幅器７３１は、ボルテージフォロワ回路として機能するように構成されているため、非反転入力端子（＋）に入力する電圧をＦＥＴ７３３のゲート端子Ｇに出力する。ＦＥＴ７３３は、ゲート端子Ｇに入力する電圧に応じてドレインソース間電流が変化する。抵抗７３５は、固定抵抗であるため、ＦＥＴ７３３のゲート端子Ｇに印加されるゲート電圧によらずソース端子Ｓの電位は一定である。ＦＥＴ７３３は、Ｎｃｈトランジスタであるため、ゲート端子Ｇに入力するゲート電圧の電圧値が高くなると、ドレインソース間電流の電流値が大きくなる。
【００２３】
抵抗７１２，７１３、可変抵抗器７１１及び抵抗７１４の合成抵抗（以下、「調色設定回路７１の合成抵抗」と称する）は、可変抵抗器７１１のタップの位置を変更しても変更されない。このため、調光設定回路７７の可変抵抗器７７５で設定される抵抗値（以下、可変抵抗器７１１又は可変抵抗器７７５で設定される抵抗値を「設定抵抗値」と称する）を変更しない場合には、電流入力端子７１５に入力される第３供給電流Ｉ３の電流値は、可変抵抗器７１１のタップの位置によらず一定となる。このため、可変抵抗器７７５の設定抵抗値を変更しない場合には、可変抵抗器７１１のタップの位置を変更しても電流入力端子７１５の電圧は変動せずに所定値のまま維持されるので、可変抵抗器７１１の一端子と抵抗７１２との接続点の電圧値は、可変抵抗器７１１のタップの位置に応じて変動する。
【００２４】
可変抵抗器７１１のタップを他端子側に近付けると、可変抵抗器７１１の一端子側抵抗と抵抗７１４との合成抵抗の抵抗値は高くなる。これにより、可変抵抗器７１１の一端子と抵抗７１２との接続点の電圧値は、可変抵抗器７７５の設定抵抗値を固定した状態、すなわち可変抵抗器７７５を動かさない状態では高くなる。このため、増幅器７３１の非反転入力端子（＋）に入力する電圧の電圧値が高くなり、増幅器７３１の出力電圧及びＦＥＴ７３３のゲート端子Ｇに入力するゲート電圧の電圧値も高くなる。これにより、ＦＥＴ７３３のドレインソース間電流の電流値が大きくなる。ＦＥＴ７３３とＬＥＤ２１とは直列に接続されているため、ＦＥＴ７３３のドレインソース間電流がＬＥＤ２１に供給する第１供給電流Ｉ１となる。したがって、ＦＥＴ７３３のドレインソース間電流の電流値が大きくなると、ＬＥＤ２１に供給する第１供給電流Ｉ１の電流値も大きくなる。
【００２５】
一方、可変抵抗器７１１のタップを一端子側に近付けると、可変抵抗器７１１の一端子及びタップ間の抵抗と抵抗７１４との合成抵抗の抵抗値は低くなる。これにより、可変抵抗器７１１の一端子と抵抗７１２との接続点の電圧値は、可変抵抗器７７５の設定抵抗値を固定した状態、すなわち可変抵抗器７７５を動かさない状態では低くなる。このため、増幅器７３１の非反転入力端子（＋）に入力する電圧の電圧値が低くなり、増幅器７３１の出力電圧及びＦＥＴ７３３のゲート端子Ｇに入力するゲート電圧の電圧値も低くなる。これにより、ＦＥＴ７３３のドレインソース間電流の電流値が小さくなり、ＬＥＤ２１に供給する第１供給電流Ｉ１の電流値も小さくなる。
【００２６】
第２電流調整回路７５は、可変抵抗器７１１の他端子に印加される電圧を増幅する増幅器（第２増幅器の一例）７５１と、増幅器７５１が増幅した増幅電圧に基づいて第２供給電流Ｉ２の電流値を調整するＦＥＴ（第２トランジスタの一例）７５３と、ＦＥＴ７５３のソース端子Ｓに接続された抵抗７５５とを有している。より具体的に、増幅器７５１の非反転入力端子（＋）は、可変抵抗器７１１の他端子、すなわち可変抵抗器７１１の他端子と抵抗７１３との接続点に接続され、増幅器７５１の反転入力端子（−）は、ＦＥＴ７５３のソース端子Ｓに接続され、増幅器７５１の出力端子はＦＥＴ７５３のゲート端子Ｇに接続されている。ＦＥＴ７５３のドレイン端子ＤはＬＥＤ２２の陰極に接続されている。抵抗７５５の一端子はＦＥＴ７５３のソース端子Ｓに接続され、抵抗７５５の他端子は基準電位であるグランドに接続されている。
【００２７】
増幅器７５１の非反転入力端子（＋）には、電流入力端子７１５の電位と基準電位印加端子７１６の電位との電位差を、抵抗７１３と、可変抵抗器７１１の他端子とタップとの間の抵抗（以下、「他端子側抵抗」と称する）及び抵抗７１４とによって抵抗分割した電圧が印加される。このため、増幅器７５１の非反転入力端子（＋）に入力される電圧は、設定された可変抵抗器７１１の他端子側抵抗の抵抗値に応じて変更される。増幅器７５１は、ボルテージフォロワ回路として機能するように構成されているため、非反転入力端子（＋）に入力する電圧をＦＥＴ７５３のゲート端子Ｇに出力する。ＦＥＴ７５３は、ゲート端子Ｇに入力する電圧に応じてドレインソース間電流が変化する。抵抗７５５は、固定抵抗であるため、ＦＥＴ７５３のゲート端子Ｇに印加されるゲート電圧によらずソース端子Ｓの電位は一定である。ＦＥＴ７５３は、Ｎｃｈトランジスタであるため、ゲート端子Ｇに入力するゲート電圧の電圧値が高くなると、ドレインソース間電流の電流値が大きくなる。
【００２８】
上述のとおり、可変抵抗器７７５の設定抵抗値を変更しない場合には、電流入力端子７１５に入力される第３供給電流Ｉ３の電流値は、可変抵抗器７１１のタップの位置によらず一定となる。このため、可変抵抗器７７５の設定抵抗値を変更しない場合には、可変抵抗器７１１のタップの位置を変更しても電流入力端子７１５の電圧は変動せずに所定値のまま維持されるので、可変抵抗器７１１の他端子と抵抗７１３との接続点の電圧値は、可変抵抗器７１１のタップの位置に応じて変動する。
【００２９】
可変抵抗器７１１のタップを一端子側に近付けると、可変抵抗器７１１の他端子側抵抗と抵抗７１４との合成抵抗の抵抗値は高くなる。これにより、可変抵抗器７１１の一端子と抵抗７１３との接続点の電圧値は、可変抵抗器７７５の設定抵抗値を固定した状態、すなわち可変抵抗器７７５を動かさない状態では高くなる。このため、増幅器７５１の非反転入力端子（＋）に入力する電圧の電圧値が高くなり、増幅器７５１の出力電圧及びＦＥＴ７５３のゲート端子Ｇに入力するゲート電圧の電圧値も高くなる。これにより、ＦＥＴ７５３のドレインソース間電流の電流値が大きくなる。ＦＥＴ７５３とＬＥＤ２２とは直列に接続されているため、ＦＥＴ７５３のドレインソース間電流がＬＥＤ２２に供給する第２供給電流Ｉ２となる。したがって、ＦＥＴ７５３のドレインソース間電流の電流値が大きくなると、ＬＥＤ２２に供給する第２供給電流Ｉ２の電流値も大きくなる。
【００３０】
一方、可変抵抗器７１１のタップを他端子側に近付けると、可変抵抗器７１１の他端子側抵抗と抵抗７１４との合成抵抗の抵抗値は低くなる。これにより、可変抵抗器７１１の他端子と抵抗７１３との接続点の電圧値は、可変抵抗器７７５の設定抵抗値を固定した状態、すなわち可変抵抗器７７５を動かさない状態では低くなる。このため、増幅器７５１の非反転入力端子（＋）に入力する電圧の電圧値が低くなり、増幅器７５１の出力電圧及びＦＥＴ７３３のゲート端子Ｇに入力するゲート電圧の電圧値も低くなる。これにより、ＦＥＴ７５３のドレインソース間電流の電流値が小さくなり、ＬＥＤ２２に供給する第２供給電流Ｉ２の電流値も小さくなる。
【００３１】
可変抵抗器７１１のタップが他端子側に近付くと、可変抵抗器７１１の一端子側抵抗の抵抗値は高くなり、可変抵抗器７１１の他端子側抵抗の抵抗値は低くなる。一方、可変抵抗器７１１のタップが一端子側に近付くと、可変抵抗器７１１の一端子側抵抗の抵抗値は低くなり、可変抵抗器７１１の他端子側抵抗の抵抗値は高くなる。このように、可変抵抗器７１１の一端子側抵抗の抵抗値と、可変抵抗器７１１の他端子側抵抗の抵抗値とは、タップの位置に応じて連動して変更される。したがって、可変抵抗器７１１のタップの変更に応じて、第１電流調整回路７３に入力する電圧が高くなるに従って第２電流調整回路７５に入力する電圧が低くなり、第１電流調整回路７３に入力する電圧が低くなるに従って第２電流調整回路７５入力する電圧が高くなる。可変抵抗器７１１のタップは、照明装置１の使用者によって操作できるようになっている。このため、使用者は、可変抵抗器７１１のタップを操作することにより、ＬＥＤ２１に供給する第１供給電流Ｉ１の電流値とＬＥＤ２２に供給する第２供給電流Ｉ２の電流値とを連動して調整し、光源２の発光色を所望の色に設定できる。
【００３２】
第１及び第２電流調整回路７３，７５に入力される電圧は、可変抵抗器７１４のタップの位置が同じでも、電流入力端子７１５の電圧値が高いと高くなり、電流入力端子７１５電圧値が低いと低くなる。調色設定回路７１の合成抵抗の抵抗値は一定なので、電流入力端子７１５の電圧値は、電流入力端子７１５に入力される第３供給電流Ｉ３の電流値が大きくなると高くなり、電流入力端子７１５に入力される第３供給電流Ｉ３の電流値が小さくなると低くなる。電力生成部５から電源電圧印加端子７７７に入力される電流の電流値はほぼ一定である。このため、第３供給電流Ｉ３の電流値は、可変抵抗器７７５の設定抵抗値に応じて変動する。
【００３３】
可変抵抗器７７５の設定抵抗値が高くなると抵抗７７３及び可変抵抗器７７５の合成抵抗の抵抗値は、相対的に高くなる。これにより、電源電圧印加端子７７７に入力される電流は、抵抗７７３及び可変抵抗器７７５側に流れにくくなるのに対し、電流入力端子７１５側に流れやすくなる。一方、可変抵抗器７７５の設定抵抗値が低くなると抵抗７７３及び可変抵抗器７７５の合成抵抗の抵抗値は、相対的に低くなる。これにより、電源電圧印加端子７７７に入力される電流は、抵抗７７３及び可変抵抗器７７５側に流れやすくなるのに対し、電流入力端子７１５側に流れにくくなる。このため、第３供給電流Ｉ３の電流値は、可変抵抗器７７５の設定抵抗値が高くなると大きくなり、可変抵抗器７７５の設定抵抗値が低くなると小さくなる。これにより、抵抗７７１と抵抗７７３との接続点の電圧、すなわち電流入力端子７１５に印加される電圧は、可変抵抗器７７５の設定抵抗値が高いと高くなり、可変抵抗器７７５の設定抵抗値が低いと低くなる。
【００３４】
したがって、調光・調色回路７は、可変抵抗器７７５の設定抵抗値が相対的に高い値に設定されると、光源２の発光色の色温度を固定した状態で光束を相対的に大きくすることができる。また、調光・調色回路７は、可変抵抗器７７５の設定抵抗値が相対的に低い値に設定されると、光源２の発光色の色温度を固定した状態で光束を相対的に小さくすることができる。第３供給電流Ｉ３は、調色された光の光束を増減させるバイアス電流としての機能を発揮する。例えば、低い色温度の光は高い色温度の光よりも光束が少ない傾向にある。このため、調色した光の色温度が相対的に低い場合、第３供給電流Ｉ３の電流量を増加させて調色した光の光束を増やし、設定後の光を相対的に明るくすることができる。
【００３５】
可変抵抗器７１４及び可変抵抗器７７５は、照明装置１の使用者により操作できるようになっている。このため、使用者は、可変抵抗器７１４を操作することにより光源２の発光色を所望の色温度に設定でき、かつ可変抵抗器７７５を操作することにより、設定した色温度を維持したままＬＥＤ２１の光束及びＬＥＤ２２の光束を連動して大きくしたり小さくしたりできる。本実施形態による光源制御回路３は、抵抗及び可変抵抗器で構成された調色設定回路７１及び調光設定回路７７を備えることにより、簡易な回路構成で光源２の色温度及び光束を変更できる。
【００３６】
ここで、可変抵抗器７１１の設定抵抗値と、第１及び第２供給電流Ｉ１，Ｉ２との関係について図２を用いて説明する。図２は、可変抵抗器７１１の設定抵抗値と、ＬＥＤ２１，２２に供給される第１及び第２供給電流Ｉ１，Ｉ２を合算した全供給電流Ｉｓｕｍの電流値に対する第１及び第２供給電流Ｉ１，Ｉ２の電流比との関係の一例を示すグラフである。横軸は、調色設定比を示している。調色設定比は、可変抵抗器７１１の一端子側抵抗の抵抗値（以下、「一端子側抵抗値ＶＲ１」と称する）と他端子側抵抗の抵抗値（以下、「他端子側抵抗値ＶＲ２」と称する）との比を表している。縦軸は、全供給電流Ｉｓｕｍの電流値と、第１及び第２供給電流Ｉ１，Ｉ２のいずれか一方の供給電流Ｉｘ（ｘは１又は２）の電流値との電流比Ｉｘ／Ｉｓｕｍを示している。図２中に示す「Ｌ１」は、第１供給電流Ｉ１における電流比の特性を表し、「Ｌ２」は、第２供給電流Ｉ２における電流比の特性を表し、「Ｌｓｕｍ」は、全供給電流Ｉｓｕｍの特性を表している。
【００３７】
図２に示すように、第１供給電流Ｉ１における電流比Ｌ１及び第２供給電流Ｉ２における電流比Ｌ２はいずれも、調色設定比を変更することにより、線形に増減する特性を有している。調色設定比を「一端子側抵抗値ＶＲ１：他端子側抵抗値ＶＲ２＝０：１０」とすると、第１供給電流Ｉ１における電流比Ｌ１は０．１に設定され、第２供給電流Ｉ２における電流比Ｌ２は０．９に設定される。調光・調色回路７は、基準電位印加端子７１６に接続された抵抗７１４を調色設定回路７１に有している。このため、可変抵抗器７１１の一端子側抵抗値ＶＲ１を０Ωに設定しても、可変抵抗器７１１の一端子側抵抗と抵抗７１２との接続点には所定の電圧が発生する。これにより、ＦＥＴ７３３のゲート端子Ｇには、全供給電流Ｉｓｕｍの電流値に対する第１供給電流Ｉ１の電流値の電流比Ｉ１／Ｉｓｕｍを０．１とするゲート電圧が印加される。一方、調光・調色回路７は、電流入力端子７１５に接続された抵抗７１３を調色設定回路７１に有している。このため、可変抵抗器７１１の一端子側抵抗値ＶＲ１を０Ωに設定し、他端子側抵抗値ＶＲ２を最大の抵抗値に設定しても、可変抵抗器７１１の他端子側抵抗と抵抗７１３との接続点には、電流入力端子７１５に印加される電圧よりも低い所定の電圧が発生する。これにより、ＦＥＴ７５３のゲート端子Ｇには、全供給電流Ｉｓｕｍの電流値に対する第２供給電流Ｉ２の電流値の電流比Ｉ２／Ｉｓｕｍを０．９とするゲート電圧が印加される。この場合、ＬＥＤ２１の光束は設定可能な範囲の中の最小値となり、ＬＥＤ２２の光束は設定可能な範囲の中の最大値となる。このため、光源２全体の発光色は、ＬＥＤ２２の発光する光の色が支配的となって白色となる。
【００３８】
調色設定比を「一端子側抵抗値ＶＲ１：他端子側抵抗値ＶＲ２＝１：１」とすると、第１供給電流Ｉ１における電流比Ｌ１は０．５となり、第２供給電流Ｉ２における電流比Ｌ２は０．５となる。この場合、ＬＥＤ２１の光束は設定可能な範囲の中の１／２の光束となり、ＬＥＤ２２の光束は設定可能な範囲の中の１／２の光束となる。このため、光源２全体の発光色は、ＬＥＤ２１の発光する光の色とＬＥＤ２２の発光する光の色とがほぼ等分に混合されて中間色となる。
【００３９】
調色設定比を「一端子側抵抗値ＶＲ１：他端子側抵抗値ＶＲ２＝１０：０」とすると、第１供給電流Ｉ１における電流比Ｌ１は０．９に設定され、第２供給電流Ｉ２における電流比Ｌ２は０．１に設定される。可変抵抗器７１１の他端子側抵抗値ＶＲ２を０Ωに設定しても、可変抵抗器７１１の他端子側抵抗と抵抗７１３との接続点には所定の電圧が発生する。これにより、ＦＥＴ７５３のゲート端子Ｇには、全供給電流Ｉｓｕｍの電流値に対する第２供給電流Ｉ２の電流値の電流比Ｉ２／Ｉｓｕｍを０．１とするゲート電圧が印加される。一方、調光・調色回路７は、電流入力端子７１５に接続された抵抗７１２を調色設定回路７１に有している。このため、可変抵抗器７１１の他端子側抵抗値ＶＲ２を０Ωに設定し、一端子側抵抗値ＶＲ１を最大の抵抗値に設定しても、可変抵抗器７１１の一端子側抵抗と抵抗７１２との接続点には、電流入力端子７１５に印加される電圧よりも低い所定の電圧が発生する。これにより、ＦＥＴ７３３のゲート端子Ｇには、全供給電流Ｉｓｕｍの電流値に対する第１供給電流Ｉ１の電流値の電流比Ｉ１／Ｉｓｕｍを０．９とするゲート電圧が印加される。この場合、ＬＥＤ２１の光束は設定可能な範囲の中の最大値となり、ＬＥＤ２２の光束は設定可能な範囲の中の最小値となる。このため、光源２全体の発光色は、ＬＥＤ２１の発光する光の色が支配的となって電球色となる。
【００４０】
調色設定比を変更しても、第１供給電流Ｉ１及び第２供給電流Ｉ２のいずれか一方の電流値が増加するのとともに他方の電流値が減少するため、全供給電流Ｉｓｕｍの電流値は一定となる。また、調色設定回路７１は、抵抗７１４を有しているため（図１参照）、一端子側抵抗値ＶＲ１又は他端子側抵抗値ＶＲ２のいずれか一方を「０」としても、第１及び第２電流調整回路７３，７５には電圧が入力されるので、ＬＥＤ２１又はＬＥＤ２２には、必ず電流が供給される。このため、調色設定回路７１は、調色設定比を「一端子側抵抗値ＶＲ１：他端子側抵抗値ＶＲ２＝０：１０」又は「一端子側抵抗値ＶＲ１：他端子側抵抗値ＶＲ２＝１０：０」としても、第１供給電流Ｉ１における電流比Ｌ１又は第２供給電流Ｉ２における電流比Ｌ２は「０」には設定されず「０．１」に設定されるように構成されている。
【００４１】
次に、調光設定回路７７の合成抵抗の抵抗値と、光源２の光束との関係について図３を用いて説明する。図３は、可変抵抗器７１１の調色設定比をいずれかの値に設定して変更しない状態（以下、「調色設定比の固定状態」と称する）における調光設定回路７７の合成抵抗の抵抗値と光源２全体の光束との関係の一例を示すグラフである。光源２全体の光束は、ＬＥＤ２１の光束とＬＥＤ２２の光束とを合わせた光束である。横軸は、調光設定回路７７の合成抵抗の最大の抵抗値に対する設定された抵抗値の比率（％）を示し、縦軸は、光源２全体の光束（ｌｍ）を示している。
【００４２】
図３に示すように、光源２全体の光束は、調光設定回路７７の合成抵抗の最大の抵抗値に対する設定された抵抗値の比率を変更することにより、線形に増減する特性を有している。可変抵抗器７７５の設定抵抗値を０Ωに設定すると、光源２全体の光束は、調色設定比の固定状態における最小値（ｍｉｎ）となる。調光設定回路７７は、抵抗７７１と可変抵抗器７７５との間に接続された抵抗７７３を有している。このため、可変抵抗器７７５の設定抵抗値を０Ωに設定しても調光設定回路７７の合成抵抗の抵抗値は、調光設定回路７７の合成抵抗の最大値の０％の値とならずに例えば５％の値となる。このため、可変抵抗器７７５の設定抵抗値を０Ωに設定しても、電源電圧印加端子７７７に入力される電流の全てが可変抵抗器７７５側に流れず、電流入力端子７１５側にも流れる。このため、抵抗７７１と抵抗７７３との接続点には所定の電圧が発生し、電流入力端子７１５にはこの所定の電圧が印加される。これにより、ＦＥＴ７３３及びＦＥＴ７５１のそれぞれのゲート端子Ｇには、ＦＥＴ７３３及びＦＥＴ７５１がオン状態となる電圧が印加される。但し、この場合の調光設定回路７７の合成抵抗の抵抗値は、調色設定比の固定状態における最小値となるため、ＦＥＴ７３３及びＦＥＴ７５１のそれぞれのゲート端子Ｇに印加される電圧も最小値となる。これにより、第１供給電流Ｉ１及び第２供給電流Ｉ２の電流値は、調色設定比の固定状態における最小値となるため、ＬＥＤ２１及びＬＥＤ２２は発光するものの、光源２全体の光束は、調色設定比の固定状態における最小値となる。
【００４３】
可変抵抗器７７５の設定抵抗値を最大値に設定すると、光源２全体の光束は、調色設定比の固定状態における最大値（ｍａｘ）となる。可変抵抗器７７５の設定抵抗値を最大値に設定したときの調光設定回路７７の合成抵抗の抵抗値は最大値となる。このため、可変抵抗器７７５の設定抵抗値が最大値における調光設定回路７７の合成抵抗の抵抗値は、調光設定回路７７の合成抵抗の最大値と等しくなり、両抵抗値の比率は１００％となる。これにより、可変抵抗器７７５の設定抵抗値を最大値に設定すると、電源電圧印加端子７７７に入力される電流のうち、電流入力端子７１５側に流れる電流（すなわち第３供給電流Ｉ３）の電流値が最大となる。このため、抵抗７７１と抵抗７７３との接続点には調色設定比の固定状態における最大の電圧が発生し、この最大の電圧が電流入力端子７１５に印加される。このため、ＦＥＴ７３３及びＦＥＴ７５１のそれぞれのゲート端子Ｇに印加される電圧は、調色設定比の固定状態における最大値となる。これにより、第１供給電流Ｉ１及び第２供給電流Ｉ２の電流値は、調色設定比の固定状態における最大値となるため、光源２全体の光束は、調色設定比の固定状態における最大値（ｍａｘ）となる。
【００４４】
調色設定回路７１の可変抵抗器７１１の調色設定比を変更せずに調光設定回路７７の可変抵抗器７７５の設定抵抗値を変更すると、可変抵抗器７１１の調色設定比の値によらず、調光設定回路７７の合成抵抗の抵抗値と光源２の光束との関係は、図３に示す特性となる。また、調光設定回路７７（図１参照）によって光源２の光束が小さくなるように調光した場合には、全供給電流Ｉｓｕｍの絶対値は低下するものの、図２に示す調色設定比と電流比との関係は変わらない。また、調光設定回路７７によって光源２の拘束が大きくなるように調光した場合には、全供給電流Ｉｓｕｍの絶対値は上昇するものの、図２に示す調色設定比と電流比との関係は変わらない。
【００４５】
次に、照明装置１の動作について図１を参照しつつ説明する。図１に示すように、照明装置１に交流１００Ｖの電圧が印加されると、交流１００Ｖは交流／直流変換回路５１で直流電圧に変換される。ＬＥＤドライバ制御回路５３がＬＥＤドライバ回路５５に設けられたスイッチ回路をオン状態に切り替え、第２スイッチ回路をオフ状態に切り替えると、ＬＥＤドライバ回路５５は、交流／直流変換回路５１から入力される直流電圧信号から生成した駆動電圧及び駆動電流を光源２に出力する。これにより、ＬＥＤ２１，２２には第１及び第２供給電流が供給されるので、光源２は、第１及び第２供給電流Ｉ１，Ｉ２の大きさに応じて所定の輝度かつ所定の色で発光する。また、このときＬＥＤドライバ回路５５は、交流／直流変換回路５１から入力される直流電圧を降圧コンバータのコイルに蓄積する。ＬＥＤドライバ制御回路５３が第１スイッチ回路をオン状態からオフ状態に切り替え、第２スイッチ回路をオフ状態からオン状態に切り替えると、ＬＥＤドライバ回路５５は、降圧コンバータのコイルに蓄積されたエネルギーを放出し、光源２に駆動電圧及び駆動電流を出力する。このように、ＬＥＤドライバ回路５５は、交流／直流変換回路５１から切断されていても光源２に駆動電圧及び駆動電流を出力できるので、ＬＥＤ２１，２２には第１及び第２供給電流Ｉ１，Ｉ２が供給される。これにより、光源２は、第１及び第２供給電流の大きさに応じて所定の輝度かつ所定の色での発光を維持する。
【００４６】
ＬＥＤドライバ制御回路５３は、降圧コンバータのコイルの電圧が所定の電圧よりも低くなると、ＬＥＤドライバ回路５５に設けられた第１スイッチ回路をオフ状態からオン状態に切り替え、第２スイッチ回路をオン状態からオフ状態に切り替える。これにより、ＬＥＤドライバ回路５５は、交流／直流変換回路５１に再び接続され、交流／直流変換回路５１から入力される直流電圧信号及び直流電流信号から生成した駆動電圧及び駆動電流を光源２に出力するとともに、降圧コンバータのコイルにエネルギーの蓄積を開始する。これにより、ＬＥＤ２１，２２には第１及び第２供給電流Ｉ１，Ｉ２が供給されるので、光源２は、第１及び第２供給電流Ｉ１，Ｉ２の大きさに応じて所定の輝度かつ所定の色での発光を維持する。照明装置１は、以上の動作を繰り返す。
照明装置１が動作している間に照明装置１の使用者が可変抵抗器７１１を操作すると、光源２全体の発光色の色温度は変化する。また、照明装置１が動作している間に照明装置１の使用者が可変抵抗器７７５を操作すると、光源２全体の光束は変化する。
【００４７】
以上説明したように、本実施形態による光源制御回路３は、ＬＥＤ２１及びＬＥＤ２１とは色温度が異なる光を発生するＬＥＤ２２に供給する直流電力を商用交流電源から生成する電力生成部５と、ＬＥＤ２１及びＬＥＤ２２を含む光源２が発生する光を調色するために電力生成部５で生成された電力をＬＥＤ２１とＬＥＤ２２とに振り分けるための可変抵抗器７１１を備え、調色された光の色温度が変化しても、少なくともある色温度の範囲ではＬＥＤ２１に供給する第１供給電流Ｉ１の電流値とＬＥＤ２２に供給する第２供給電流Ｉ２の電流値との和が一定である調色設定回路７１とを有している。光源制御回路３は、マイコンなどを用いずに可変抵抗器７１１における抵抗値の設定を変更するだけで、第１及び第２供給電流Ｉ１，Ｉ２の電流量を連動し変更し、光源２が発光する光の色を調整できる。このように、本実施形態によれば、マイコンなどを用いない簡単な回路構成により光源２が発光する光の色を調整できるので、光源制御回路３及びそれらを備えた照明装置１の回路構成を簡略化できるとともに、低コスト化を図ることができる。
【００４８】
本実施形態による光源制御回路３に設けられた調光・調色回路７は、ＬＥＤ２１，２２の正極側に電気的に接続された調光設定回路７７を有している。調光設定回路７７は、調光設定回路７７に備えられた可変抵抗器７７５の設定抵抗値を変更するだけで、ＬＥＤ２１，２２にそれぞれ流れる第１及び第２供給電流Ｉ１，Ｉ２の電流値を変更して、光源２全体の光束を変動できる。このように、本実施形態によれば、マイコンなどを用いない簡単な回路構成により光源２の光束を調整できるので、光源制御回路３及びそれらを備えた照明装置１の回路構成を簡略化できるとともに、低コスト化を図ることができる。
【００４９】
本発明は、上記実施形態に限らず種々の変形が可能である。
例えば、調色設定回路に備えられる可変抵抗器は、２連の可変抵抗器であってもよい。この場合、調色設定回路は、一方の可変抵抗器の一端子を第１電流調整回路に接続したとすると、他方の可変抵抗器の他端子を第２電流調整回路に接続するように構成される。こうすると、２連の可変抵抗器の抵抗値の設定を変更した場合、一方の可変抵抗器の抵抗値が高くなるに従って他方の可変抵抗器の抵抗値が低くなる。これにより、第１電流調整回路に入力する電圧の電圧値が高くなるに従って第２電流調整回路に入力する電圧の電圧値が低くなり、その逆の関係も成り立つため、２つのＬＥＤに供給する供給電流の増減を連動して変動でき、上記実施形態と同様の効果が得られる。
【００５０】
上記実施形態による調光・調色設定回路は、調光設定回路と調色設定回路とが共通のＦＥＴを制御するように構成されているが、本発明はこれに限られない。調光・調色設定回路は、調光設定回路と調色設定回路とが別のＦＥＴを制御するようになっていてもよい。この場合、調光設定回路が制御するＦＥＴと調色設定回路が制御するＦＥＴとは例えばＬＥＤの陰極に直列に接続される。また、この場合、調色設定回路の電圧印加端子には、調光設定回路で抵抗分割された電圧が印加されるようになっていても、この抵抗分割された電圧ではなく例えばＬＥＤドライバ回路の出力電圧が印加されるようになっていてもよい。
【００５１】
上記実施形態によるＬＥＤドライバ回路５５は、降圧コンバータを有しているが、本発明はこれに限られない。ＬＥＤドライバ回路５５は、降圧コンバータに代えて、例えば２コンバータ、昇降圧コンバータ及びフライバックコンバータのいずれか１つを有していても、上記実施形態と同様の効果が得られる。
上記の実施形態は、本発明の技術的思想を具体化するための装置を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
【符号の説明】
【００５２】
１  照明装置
２  光源
３  光源制御回路
５  電力生成部
７  調光・調色回路
２１，２２  ＬＥＤ
５１  交流／直流変換回路
５３  ＬＥＤドライバ制御回路
５５  ＬＥＤドライバ回路
５７  フィードバック回路
７１  調色設定回路
７３  第１電流調整回路
７５  第２電流調整回路
７７  調光設定回路
７１１，７７５  可変抵抗器
７１２，７１３，７１４，７３５，７５５，７７１，７７３  抵抗
７１５  電流入力端子
７１６，７７９  基準電位印加端子
７３１，７５１  増幅器
７３３，７３５  ＦＥＴ
７７７  電源電圧印加端子
【図１】
2016219147.tif 000003
【図２】
2016219147.tif 000004
【図３】
2016219147.tif 000005